(57)【要約】【課題】小形化にも対応可能な天井取付構造を備えた照明装置を提供する。【解決手段】照明装置10は、器具本体11、支持軸部30および天井取付部材32を備える。支持軸部30は、器具本体11の側面に対して垂直に設けられる。天井取付部材32は、器具本体11の側面に支持軸部30を中心として回動可能に設けられる。【選択図】図１
2019003895.tif 000002
【特許請求の範囲】
【請求項１】
器具本体と；
前記器具本体の側面に対して垂直に設けられた支持軸部と；
前記器具本体の側面に前記支持軸部を中心として回動可能に設けられた天井取付部材と；
を具備することを特徴とする照明装置。
【請求項２】
前記天井取付部材の先端部側が前記器具本体の側方へ展開する回動方向に前記天井取付部材を付勢するばねを具備する
ことを特徴とする請求項１記載の照明装置。
【請求項３】
前記器具本体の側面に設けられ、前記器具本体に対する前記天井取付部材の回動範囲を規制する規制軸部を具備する
ことを特徴とする請求項１または２記載の照明装置。
【発明の詳細な説明】
【技術分野】
【０００１】
本発明の実施形態は、天井に設置される照明装置に関する。
【背景技術】
【０００２】
従来、天井板に設けられた埋込孔に埋め込み設置するダウンライト等の照明装置がある。この照明装置では、天井取付構造として、光源を配置する円筒状の器具本体の側面に取り付けられた複数の取付ばねを用いており、器具本体とともにこの器具本体の側面に沿って弾性変形するように格納した複数の取付ばねを埋込孔に挿入することにより、天井板上で複数の取付ばねが側方に展開して器具本体を天井板に支持するように構成されている。
【０００３】
取付ばねは、基端側が器具本体の側面から突設されたばね取付部に嵌め込んで取り付けられ、先端側が器具本体の外径方向に展開するのが一般的である。
【０００４】
ところで、このような照明装置は小形化の要求があり、それに対応して、器具本体の直径を小さくすることは可能であるが、器具本体の外径方向に展開する取付ばねを用いた天井取付構造を器具本体と同比率で小さくすると、器具本体の支持強度の不足等が生じるおそれがある。そのため、器具本体の外径方向に展開する取付ばねを用いた天井取付構造では照明装置の小形化への対応が難しい。
【先行技術文献】
【特許文献】
【０００５】
【特許文献１】特開２０１０−１６００３号公報
【発明の概要】
【発明が解決しようとする課題】
【０００６】
本発明が解決しようとする課題は、小形化にも対応可能な天井取付構造を備えた照明装置を提供することである。
【課題を解決するための手段】
【０００７】
実施形態の照明装置は、器具本体、支持軸部および天井取付部材を備える。支持軸部は、器具本体の側面に対して垂直に設けられる。天井取付部材は、器具本体の側面に支持軸部を中心として回動可能に設けられる。
【発明の効果】
【０００８】
本発明によれば、小形化にも対応可能な天井取付構造を備えた照明装置を提供することが期待できる。
【図面の簡単な説明】
【０００９】
【図１】第１の実施形態を示す照明装置の天井取付部材が展開された側面図である。
【図２】同上照明装置の天井取付部材が格納された側面図である。
【図３】同上照明装置の天井取付部材が展開された斜視図である。
【図４】同上照明装置の天井取付部材が格納された斜視図である。
【図５】同上照明装置の天井取付部材が展開された平面図である。
【図６】同上照明装置の天井取付部材が格納された平面図である。
【図７】第２の実施形態を示す照明装置の天井取付部材が展開された側面図である。
【図８】同上照明装置の天井取付部材が格納された側面図である。
【発明を実施するための形態】
【００１０】
以下、第１の実施形態を、図１ないし図６を参照して説明する。
【００１１】
照明装置10は、天井板に設けられた円形の埋込孔に埋め込み設置されるダウンライトであって、例えば直径５０mm程度の小形ダウンライトである。
【００１２】
照明装置10は、器具本体11、この器具本体11内に配置される光源12、器具本体11の側面（外周面）に設けられた一対の天井取付構造13等を備えている。さらに、照明装置10は、器具本体11とは別置きで光源12に点灯電源を供給する図示しない電源ユニットを備えている。光源12と電源ユニットとは接続ケーブルで電気的に接続される。
【００１３】
まず、器具本体11は、上部側の放熱体16、およびこの放熱体16の下部に取り付けられる化粧枠17を備えている。
【００１４】
放熱体16は、例えばアルミニウム等の金属材料によって形成されている。放熱体16は、円筒状の筒部18、およびこの筒部18の上部から突設された複数のフィン19を備えている。筒部18は、下面側が開口され、上面側に光源12を配置する光源配置部20が形成されている。複数のフィン19は、所定の間隔をあけて平行に突設されている。また、筒部18の周辺部上端には、光源12に接続する接続ケーブルを通す配線孔21が形成されている。
【００１５】
化粧枠17は、放熱体16の筒部18と同じ外周面形状に設けられた枠部22、およびこの枠部22の下部から外径方向に突出するフランジ部23を備えている。
【００１６】
そして、放熱体16の筒部18および化粧枠17の枠部22で円筒状の本体部24が構成され、この本体部24の上部に複数のフィン19が設けられ、本体部24の側面（外周面）に一対の天井取付構造13が設けられる。
【００１７】
本体部24の外周面には、本体部24の外周面の円弧面で構成される曲面部25が形成されているとともに、一対の平面部26が形成されている。これら曲面部25および平面部26は、放熱体16の筒部18および化粧枠17の枠部22の両方に亘って形成されている。一対の平面部26は、本体部24の中心に対して対象位置でかつ複数のフィン19と平行となる位置に設けられている。平面部26は、本体部24の外周面が窪んで設けられており、つまり曲面部25の外径領域よりも内側に窪んで設けられている。
【００１８】
また、光源12は、発光素子を備えている。発光素子は、例えばＬＥＤや有機ＥＬ等が用いられる。光源12は、器具本体11の下面開口に対向して器具本体11の内側に配置されている。
【００１９】
なお、器具本体11の内側には、光源12を覆う透光性を有するカバー、光源12からの光を制御するレンズや反射体等の光学部品の少なくともいずれか１つが配置されている。
【００２０】
また、各天井取付構造13は、支持軸部30、規制軸部31、天井取付部材32、およびばね33等を備えている。
【００２１】
支持軸部30は、頭部およびねじ軸部を有するねじ35、このねじ35のねじ軸部に挿通される筒状のスペーサ（図示せず）およびワッシャ36を備えている。支持軸部30は、ねじ35のねじ軸部が天井取付部材32を通じて器具本体11の平面部26に垂直に螺着されて取り付けられている。そして、支持軸部30は、器具本体11の側面に垂直な軸、あるいは器具本体11の中心軸から放射方向（径方向）に沿った軸であって、天井取付部材32を回動可能に支持する回動支軸として構成されている。なお、ワッシャ36と器具本体11との間に別のスペーサを設け、このスペーサの周囲に天井取付部材32を回動可能に配置してもよい。
【００２２】
規制軸部31は、頭部およびねじ軸部を有するねじ37、このねじ37のねじ軸部に挿通される筒状のスペーサ38およびワッシャ39を備えている。規制軸部31は、ねじのねじ軸部が天井取付部材32を通じて器具本体11の平面部26に垂直に螺着されて取り付けられている。なお、ワッシャ39と器具本体11との間に別のスペーサを設け、このスペーサの周囲に天井取付部材32を摺動可能に配置してもよい。
【００２３】
これら支持軸部30と規制軸部31とは共通の部品が用いられている。器具本体11の側面（平面部26）に対して、支持軸部30と規制軸部31とが器具本体11の側面の上下方向に並んで配置されている。
【００２４】
器具本体11の平面部26は曲面部25の外径領域（仮想外径線）よりも内側に窪んで設けられているため、支持軸部30のねじ35の頭部および規制軸部31のねじ37の頭部は、器具本体11の曲面部25の外径領域の内側に位置するか、本体部24の外径領域からわずかに突出する位置にある。
【００２５】
さらに、天井取付部材32は、金属または樹脂の少なくともいずれか一方によって板材に形成されている。天井取付部材32には、例えば、金属の場合、板ばねを用いてもよい。天井取付部材32は、器具本体11の側面に取り付けられる平板部（基端部）41、およびこの平板部41の先端側に設けられる湾曲板部（先端部）42を備えている。
【００２６】
天井取付部材32の平板部41は、基端側から先端側に向けて幅が小さく略三角形状に形成されている。平板部41の基端側には、支持軸部30のねじ35のねじ軸部が回動可能に挿通する丸孔である回動孔（図示せず）が設けられているとともに、規制軸部31のねじ37のねじ軸部が移動可能に挿通する円弧状の長孔である規制孔43が設けられている。
【００２７】
天井取付部材32の平板部41は、器具本体11の平面部26と支持軸部30のワッシャ36および規制軸部31のワッシャ39との間に挟まれて配置されている。そして、天井取付部材32は、支持軸部30を中心として回動可能とするとともに、その回動範囲が規制孔43の各端部が規制軸部31のねじ37のねじ軸部に当接するまでの範囲に規制されている。
【００２８】
天井取付部材32の回動方向は、器具本体11の外周面に対する接線方向であって、器具本体11の側面の平面部26に沿った平行な方向であるとともに、フィン19の側面に沿った平行な方向である。
【００２９】
天井取付部材32の回動範囲は、天井取付部材32が側方へ向けて回動して器具本体11の側方に展開する展開位置（図１、図３および図５参照）と、天井取付部材32が上方へ向けて回動して器具本体11の側面に沿った格納位置（図２、図４および図６参照）との間としている。
【００３０】
天井取付部材32の湾曲板部42は、平板部41の展開位置へ向けた回動方向の縁部から、器具本体11に対向する平板部41の内側に湾曲されている。湾曲板部42の湾曲形状は、天井取付部材32が格納位置にある状態で器具本体11の周面に沿った湾曲形状である。
【００３１】
天井取付部材32の湾曲板部42の下部側には、展開位置で天井板の上面に当接する天井当接部44が設けられている。天井当接部44は天井板の厚みに応じて天井板に当接する位置が変化する。また、湾曲板部42の上部側には、格納位置で器具本体11の側面を覆う覆い部45が設けられている。
【００３２】
天井取付部材32は、展開位置において、器具本体11の本体部24の側部に位置し、フィン19よりも下側に配置されている。
【００３３】
なお、天井当接部44には、天井板を保護するためにゴム、シリコーン、ビニール等の柔軟性を有するカバーを被着してもよい。
【００３４】
さらに、ばね33は、例えばトーションばねが用いられている。ばね33は、ばね線材の中間部が巻回されたコイル部47、このコイル部47の両端から突出されたばね線材の両方の端部48，49を有している。コイル部47は、支持軸部30のねじ35の頭部とワッシャ36との間で図示しないスペーサの周囲に配置されている。ばね33の一方の端部48は規制軸部31に取り付けられ、他方の端部49は天井取付部材32に取り付けられている。そして、ばね33は、天井取付部材32の先端側が器具本体11の側方へ展開する回動方向に向けて天井取付部材32を付勢している。
【００３５】
また、電源ユニットは、交流電源などの外部電源を直流電源等の点灯電源に変換して光源12に供給する。電源ユニットは、接続ケーブルによって光源12と電気的に接続されている。
【００３６】
そして、このように構成された照明装置10では、梱包時に、一対の天井取付部材32をばね33の付勢に抗して図２、図４および図６に示す格納位置に回動させた状態で梱包する。これにより、輸送時の天井取付部材32の破損を防止でき、かつ、梱包容積を小さくでき、梱包材の削減、搬送コストの削減を図ることができる。
【００３７】
また、照明装置10を天井板に設置するには、まず、天井板の下方において埋込孔の位置に配線されている電源線を電源ユニットに接続し、この電源ユニットを埋込孔に挿入して天井板上に載置する。
【００３８】
一対の天井取付部材32をばね33の付勢に抗して図２、図４および図６に示す格納位置に回動させる。すなわち、支持軸部30を中心とするとともにばね33の付勢に抗して天井取付部材32の先端側を上方に向けて回動させ、湾曲板部42の覆い部45を器具本体11の側面に沿って配置される格納位置に回動させる。一対の天井取付部材32を格納位置に回動させることにより、器具本体11の側方への一対の天井取付部材32の突出量が最小限となる。
【００３９】
そして、一対の天井取付部材32を格納位置に手で押さえた状態で、器具本体11を上部のフィン19側から天井板の埋込孔に挿入する。このとき、格納位置にある天井取付部材32は、天井板に引っ掛からずに、スムーズに挿入しやすい。
【００４０】
器具本体11の上部および一対の天井取付部材32の先端側を天井板の埋込孔に挿入した後、一対の天井取付部材32の押えを解くことにより、ばね33のばね力によって一対の天井取付部材32を図１、図３および図５に示す展開位置へ向けて回動させる。
【００４１】
展開位置へ向けて回動する一対の天井取付部材32は、その先端側が器具本体11の側方に突出しながら、一対の天井取付部材32の天井当接部44が天井板の埋込孔の上縁または天井板の上面に当接する。なお、天井板の厚みに応じて、天井板の埋込孔の上縁または天井板の上面に当接する天井当接部44の位置が変化する。
【００４２】
その後は、天井板に当接して止まった天井取付部材32に対して、ばね33のばね力によって器具本体11を上方へ引き上げ、化粧枠17のフランジ部23が天井板の下面に当接する。
【００４３】
これにより、ばね33のばね力によって、化粧枠17のフランジ部23と展開位置に回動した一対の天井取付部材32との間で天井板を挟み込んだ状態で、器具本体11が天井板に保持され、器具本体11の設置が完了する。
【００４４】
なお、天井取付部材32の展開位置は、天井板の厚みに応じて変化する。
【００４５】
また、電源ユニットから光源12に点灯電源を供給することにより、光源12が点灯し、光源12からの光が器具本体11の下面開口から照明空間に照射される。
【００４６】
点灯時に光源12が発生する熱は、放熱体16の複数のフィン19に伝わり、天井板の上方空間の空気中に放熱される。
【００４７】
このとき、器具本体11の周囲の空気が複数のフィン19の側面から複数のフィン19間に流れ込み、複数のフィン19で暖められた空気がフィン19の上面が上昇する。
【００４８】
その際、展開位置に位置する一対の天井取付部材32は、フィン19よりも下側に位置するため、複数のフィン19の側面から複数のフィン19間へ流れ込む空気の流れを妨げることがなく、放熱性能を確保できる。
【００４９】
そして、本実施形態の照明装置10では、天井取付部材32を、器具本体11の側面に垂直な支持軸部30を中心として回動可能に設けたため、器具本体11の設置時には、器具本体11からの天井取付部材32の突出を少なくする格納位置に簡単に回動させ、天井板の埋込孔への挿入を容易に行うことができ、また、天井取付部材32が器具本体11の側方に展開する展開位置に回動することにより、器具本体11を天井板に取り付けることができる。
【００５０】
そのため、照明装置10の小形化に伴い、器具本体11の直径および天井板の埋込孔の内径が小さくなっても、天井取付部材32が天井板の埋込孔への挿入の影響を最小限にすることができ、照明装置10の小形化に対応できる。
【００５１】
また、器具本体11の側面に平面部26を設け、この平面部26に天井取付部材32を回動可能に設けているため、天井取付部材32の回動方向を平面部26に沿った平行かつ一定の方向にできるとともに、天井取付部材32を回動可能に支持する支持軸部30が器具本体11の外周面（曲面部25）から突出しないようにしたり突出量を少なくし、照明装置10の小形化に対応できる。
【００５２】
また、天井取付部材32は、展開位置において、フィン19よりも下側に位置するため、フィン19に流れる空気の流れを妨げず、フィン19による放熱の影響が少なくできる。
【００５３】
また、ばね33を用いることにより、天井取付部材32を展開位置に確実に展開させることができるとともに、器具本体11を天井板に確実に保持することができる。
【００５４】
また、規制軸部31により、器具本体11に対する天井取付部材32の回動範囲を規制することにより、天井取付部材32を回動させる際に不必要な範囲まで回動するのを規制でき、天井取付部材32やばね33を保護できる。
【００５５】
また、器具本体11の平面部26とフィン19とが平行状であれば、平面部26がフィン19の設置に影響することがない。なお、器具本体11の平面部26とフィン19とが平行状でなくてもよく、例えば直交していてもよい。あるいは、フィン19は放射状に設けられていてもよい。
【００５６】
次に、第２の実施形態を、図７および図８を参照して説明する。
【００５７】
天井取付部材32を格納位置に回動させた状態で、複数のフィン19の側面を全体的に覆うように、天井取付部材32の湾曲板部42の覆い部45を大きく設けている。すなわち、覆い部45は、格納位置において、複数のフィン19の両側縁部を覆う。
【００５８】
これにより、器具本体11を天井板の埋込孔に挿入する際、覆い部45によって、フィン19が天井板に当たるのを防止し、フィン19を保護できる。
【００５９】
さらに、天井当接部44も大きくでき、天井当接部44が天井板の上面等に当接した状態が安定し、天井板への器具本体11の保持を確実にできる。
【００６０】
なお、天井取付構造13は器具本体11の外径が大きい場合にも適用することができ、この場合、器具本体11の側面に３つ以上の天井取付構造13を設けてもよい。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６２】
10    照明装置
11    器具本体
30    支持軸部
31    規制軸部
32    天井取付部材
33    ばね
【図１】
2019003895.tif 000003
【図２】
2019003895.tif 000004
【図３】
2019003895.tif 000005
【図４】
2019003895.tif 000006
【図５】
2019003895.tif 000007
【図６】
2019003895.tif 000008
【図７】
2019003895.tif 000009
【図８】
2019003895.tif 000010